(57)【要約】ＤＶＤディスクケース１０は、そのベース１２または蓋１４に結合されたフック４０を含み、且つディスク２０の挿入および取り出しの間、ディスク２０の外周部２２をあらわにするための開位置、およびディスク２０の取り出しを阻止するための閉位置を有する。フック４０は、蓋１４が開いているときに開き、フック４０は、蓋１４がほぼ閉じているときに、ケース１０からのディスク２０の取り外しを防止することによって安全を提供すべく、体１４が閉じているときに、ケース１０の基台２６ハブ構造体２８上にディスク２０を固定するために閉じる。フック４０は、ベース１２から突出することができ、蓋１４がその閉位置に移動されるときに、ロックは、蓋１４から突出しフック４０を内方に変位させる。フック４０は、蓋１４の内方に延びる蓋１４タブ４２および／またはケース１０の背部分１６の突出リブ４６を含むこともできる。【特許請求の範囲】
【請求項１】
ベース部分と蓋部分とを有する保管ケースであって、蓋部分が、ベース部分に蓋部分の閉位置で係合し、ベース部分の前方に突出する基台部が、ボタン部分を含み、該ボタン部分が、外周部を有するディスクの中央開口に取り外し可能に係合するためのハブ構造体を有し、蓋部分が閉位置にあるときに、ディスクがケース内に収容され、蓋部分が、少なくとも開状態でディスクにアクセスするために開くことができ、前記保管ケースが、
（ａ）ベース部分および蓋部分の一方に結合されたフック部材を備え、該フック部材が、ハブ構造体からのディスクの係合および取り外しの間、ディスクの外周部をあらわにするための開位置、ならびにディスクの取り外しを阻止するための閉位置を有し、前記保管ケースがさらに、
（ｂ）蓋部分が開状態にあるときに、フック部材を開位置に移動させるための手段と、
（ｃ）ディスクがハブ構造体上にあり且つ蓋部分がほぼ閉位置にあるときに、ケースからのディスクの取り外しを防止することによって安全を提供するために、蓋部分が閉位置にあるときに、閉位置にフック部材を固定するための手段とを備えることを特徴とする、保管ケース。
【請求項２】
フック部材が、ベース部分に結合され、且つフック部材を固定するための手段が、蓋部分から突出するロック部材を備え、蓋部分が閉位置に移動されるにつれて、ロック部材が、フック部材を基台部に向けて変位させ、フック部材を移動させるための手段が、ベース部分によって開位置に弾性的に支持されるフック部材を備える、請求項１に記載の保管ケース。
【請求項３】
フック部材が、蓋部分に堅固に結合される蓋タブ部材を備え、固定するための手段が、蓋部分の閉位置においてディスクの外周部の内方に且つディスクに近接して突出する蓋タブ部材を備え、フック部材を移動させるための手段が、蓋部分が開状態に移動されるにつれて、ベース部分から離れるように移動する蓋タブ部材を備える、請求項１に記載の保管ケース。
【請求項４】
蓋部分が、ベース部分に蝶番式に結合され、且つフック部材が、基台部の反対側に蝶番式結合に対向して配置される、請求項１または２に記載の保管ケース。
【請求項５】
フック部材が、蝶番式結合に対向する基台部から対角に変位されたフック部材の離間された対の一方である、請求項４に記載の保管ケース。
【請求項６】
蓋部分が、ベース部分と一体的に形成されている、請求項４に記載の保管ケース。
【請求項７】
蓋部分およびベース部分が、ケースの両端に沿ってかつ蝶番式結合に対向する側面に沿って延びる周囲壁を伴って形成され、周囲壁の少なくとも１つの主要部分が、蓋およびベース部分のそれぞれのブレード部分を含み、該ブレード部分が、蓋およびベース部分を屈曲に対して強化するために、且つ容器からのディスクの取り外しをさらに阻止するために、蓋部分がほぼ閉位置にあるときに重なり合う関係で対峙するように突出する、請求項４に記載の保管ケース。
【請求項８】
フック部材が、一次フック部材であり、ケースが、蓋部分とベース部分との間に蝶番式に結合された背部分と、背部分に近接して配置された二次フック部材と、蓋部分がほぼ閉位置にあるときにケースからのディスクの取り外しをさらに阻止するために、二次フック部材を閉位置において固定するための手段と、蓋部分が開状態にあるときにディスクの外周部をあらわにして二次フック部材を開位置に移動させるための手段とをさらに備える、請求項１または２に記載の保管ケース。
【請求項９】
二次フック部材が、ベース部分に結合され、且つ二次フック部材を固定するための手段が、背部分から突出する背リブ部材を備え、背リブ部材が、蓋部分が閉位置に移動されるにつれて二次フック部材を基台部に向かって変位させ、二次フック部材を移動させるための手段が、ベース部分によって開位置に弾性的に支持される二次フック部材を備える、請求項８に記載の保管ケース。
【請求項１０】
二次フック部材が、基台部から対角に背部分結合部の近傍に変位された二次フック部材の離間された対の一方である、請求項９に記載の保管ケース。
【請求項１１】
二次フック部材が、背部分から堅固に突出する背リブ部材を備え、固定するための手段が、蓋部分の閉位置にてディスクの外周部の内方に且つディスクに近接して突出する背リブ部材を備え、フック部材を移動させるための手段が、蓋部分が開状態へ移動されるにつれてベース部分から離れる方向に移動するタブ部材を備える、請求項８に記載の保管ケース。
【請求項１２】
背リブ部材が、蓋部分が閉位置に近接するときに、基台部に対して且つディスクの外周部の内部で、対角に変位された末端へ延びる、請求項８に記載の保管ケース。
【請求項１３】
蓋部分が、ベース部分および背部分と一体的に形成されている、請求項８から１２のいずれか一項に記載の保管ケース。
【請求項１４】
中央開口および外周部を有するディスクのための保管ケースであって、
（ａ）ディスクの中央開口に取り外し可能に係合するためのボタン部分ハブ構造体を含む、前方に突出する基台部を有するベース部分と、
（ｂ）蓋部分と、
（ｃ）ベース部分と蓋部分との間に蝶番式に結合され、蓋部分が、ベース部分に係合する閉位置と開状態とを有する、背部分と、
（ｄ）背部分の反対側で基台部分に対向する蓋部分に結合された蓋タブ部材であって、該蓋タブ部材が、蓋部分の閉位置において、ハブ構造体からのディスクの取り外しを阻止するために、ディスクの外周部の内方に向かって突出し、蓋タブ部材が、蓋部分が開状態に移動されるにつれてベース部分から離れる方向に移動する蓋タブ部材と、
（ｅ）蓋部分と背部分の一方に背部分に近接して結合される背タブ部材とを備え、該背タブ部材が、蓋部分の閉位置において、ハブ構造体からのディスクの取り外しをさらに阻止するために、ディスクの外周部の内方へ突出し、背タブ部材が、蓋部分が開状態に移動されるにつれてベース部分から離れる方向に移動する、保管ケース。
【請求項１５】
背タブ部材が、背部分に堅固に結合されている、請求項１４に記載の保管ケース。
【請求項１６】
中央開口および外周部を有するディスクのための保管ケースであって、
（ａ）ディスクの中央開口に取り外し可能に係合するためのボタン部分ハブ構造体を含む、前方に突出する基台部を有するベース部分と、
（ｂ）蓋部分と、
（ｃ）ベース部分と蓋部分との間に蝶番式に結合される背部分とを備え、蓋部分が、ベース部分に係合する閉位置と開状態とを有し、前記保管ケースがさらに、
（ｄ）背部分の反対側で基台部に概して対向するベース部分に移動可能に結合された一次フック部材であって、該一次フック部材が、ディスクの外周部の内方に突出する閉位置を有し、一次フック部材が、ハブ構造体からのディスクの係合および取り外しの間、ディスクの外周をあらわにするための開位置に付勢される、一次フック部材と、
（ｅ）蓋部分に結合された蓋ロック部材であって、該蓋ロック部材が、蓋部分の閉位置にて、ハブ構造体からのディスクの取り外しを阻止するために、閉位置へ一次ロック部材を移動させ、蓋ロック部材が、蓋部分が開状態へ移動されるにつれて、離れる方向へ移動し且つ一次フック部材が開位置に戻ることを可能にする、蓋ロック部材と、
（ｆ）背部分に概して近接してベース部分に移動可能に結合された二次フック部材であって、該二次フック部材が、ディスクの外周部の内方に突出する閉位置を有し、二次フック部材が、ハブ構造体からのディスクの係合および取り外しの間、ディスクの外周をあらわにするための開位置に付勢される二次フック部材と、
（ｇ）蓋部分と背部分の一方に結合された背ロック部材であって、該背ロック部材が、蓋部分の閉位置にて、ハブ構造体からのディスクの取り外しをさらに阻止するために、二次フック部材を閉位置に移動させ、背ロック部材が、蓋部分が開状態へ移動されるにつれて、離れる方向へ移動し且つ二次フック部材が開位置に戻ることを可能にする背ロック部材とを備える、保管ケース。
【請求項１７】
背ロック部材が、背部分に堅固に結合されている、請求項１６に記載の保管ケース。
【請求項１８】
一次フック部材が、一次フック部材の離間された対の一方である、請求項１６に記載の保管ケース。
【請求項１９】
二次フック部材が、二次フック部材の離間された対の一方である、請求項１６から１８のいずれか一項に記載の保管ケース。
【発明の詳細な説明】
【技術分野】
【０００１】
本発明は、中央円形位置決め開口を有するコンパクトディスク（ＣＤ）およびビデオディスク（ＤＶＤ）のような光学データディスクの梱包に関し、より詳細には、保管のためにそのようなディスクを保護して収容するためのケースに関する。
【背景技術】
【０００２】
一般に使用されているＣＤおよびＤＶＤのための保護用容器は、そのデータ収容領域内のディスクの両側を接触させることなく中央開口に係合することによって、ディスクを支持して把持するための中央基台部を有している。そのような容器は、典型的には、基台部での傾斜に対してディスクを安定化させるために、ディスクの外周の部分に接触するための棚部を有している。ディスクは、反対側の周囲部分を把持している間に、ディスクを基台部上に下げることによって容器内に装填され、基台部との係合は、典型的には、中央開口に近接してディスクに対する同時的な指の圧力によってもたらされる。ディスクの取り外しは、基台部に対する指の圧力および同時に周囲部分を持ち上げることによって同様にもたらされる。例えば、参照により本明細書に組み込まれる、本発明者の米国特許第６，２３７，７６３号を参照されたい。記載されたようなケースは、典型的には、通常は（購入取引が完了されるまで生じるとは想定されていない）上包み（ｗｒａｐｐｅｒ）の取り外しなしに、開くことを防止する上包みを施して市販される。
【０００３】
万引き犯が、上包みの側方に沿ってスリットを作り、それから基台部からディスクの解放を生じさせるような方法でケースを変形させて、その後にケースを若干こじ開けることによって、ディスクをケースの外部に滑り出させることが可能であることが、最近になって見出されている。
【発明の開示】
【発明が解決しようとする課題】
【０００４】
したがって、上述された方法でのそのような容器からのディスクの窃盗を防止し、しかも使い易く且つ提供が安価な方法が必要である。
【課題を解決するための手段】
【０００５】
本発明は、ケースが実質的に開かれるまで、ＣＤおよびＤＶＤを内部で効果的にロックする安全性の特徴を有する保管ケースを提供することによって、この必要を満たす。これらのケースは、ベース部分と開放可能な蓋部分とを有し、ベースから前方に突出する基台部が、ケースによって収容されるディスクの中央開口に取り外し可能に係合するためのハブ構造体を有するボタン部分を含む。本発明の１つの態様において、保管ケースは、ベース部分および蓋部分の一方に結合されたフック部材を含み、フック部材は、ハブ構造体からのディスクの係合および取り外しの間、ディスクの外周部をあらわにするための開位置、ならびにディスクの取り外しを阻止するための閉位置を有し、保管ケースはさらに、蓋部分が開状態にあるときに、フック部材を開位置に移動させるための手段と、ディスクがハブ構造体にあり且つ蓋部分がほぼ閉位置にあるときに、ケースからのディスクの取り外しを防止することによって安全を提供するために、蓋部分が閉位置にあるときに、閉位置にフック部材を固定するための手段とを含むことによって特徴付けられる。
【０００６】
フック部材は、ベース部分に結合され、フック部材を固定するための手段が、蓋部分から突出するロック部材を含み、蓋部分が閉位置に移動されるにつれて、フック部材を基台部に向けて変位させ、フック部材を移動させるための手段は、ベース部分によって開位置に弾性的に支持されるフック部材を含んでいても良い。また、あるいはその代わりに、フック部材は、蓋部分に堅固に結合される蓋タブ部材を含むことができ、固定するための手段は、蓋部分の閉位置においてディスクの外周部の内方に且つディスクに近接して突出する蓋タブ部材を含み、フック部材を移動させるための手段は、蓋部分が開状態に移動されるにつれて、ベース部分から離れるように移動する蓋タブ部材を含んでいても良い。
【０００７】
蓋部分は、ベース部分に蝶番式に結合され、且つフック部材は、基台部の反対側に蝶番式結合に対向して配置されても良い。フック部材は、蝶番式結合に対向する基台部から対角に変位されたフック部材の離間された対の一方であっても良い。蓋部分は、ベース部分と一体的に形成されていてもよい。蓋部分およびベース部分は、ケースの両端に沿ってかつ蝶番式結合に対向するその側面に沿って延びる周囲壁を伴って形成されていても良く、周囲壁の少なくとも１つの主要部分は、蓋およびベース部分のそれぞれのブレード部分を含み、ブレード部分は、好ましくは、蓋およびベース部分を屈曲に対して強化するために、且つ容器からのディスクの取り外しをさらに阻止するために、蓋部分がほぼ閉位置にあるときに重なり合う関係で対峙するように突出する。
【０００８】
フック部材は、一次フック部材であっても良く、ケースは、蓋部分とベース部分との間に蝶番式で結合された背（ｓｐｉｎｅ）部分をさらに含み、ケースは、好ましくは、また、背部分に近接して配置された二次フック部材と、蓋部分がほぼ閉位置にあるときにケースからのディスクの取り外しをさらに阻止するために、二次フック部材を閉位置において固定するための手段と、蓋部分が開状態にあるときにディスクの外周部をあらわにして二次フック部材を開位置に移動させるための手段とを含み、二次フック部材を開位置に移動させることによって、ディスクを基台部の両側で固定する。二次フック部材は、ベース部分に結合されていても良く、二次フック部材を固定するための手段は、背部分から突出する背リブ部材を含み、背リブ部材は、蓋部分が閉位置に移動されるにつれて二次フック部材を基台部に向かって変位させ、二次フック部材を移動させるための手段は、ベース部分によって開位置に弾性的に支持される二次フック部材を備えている。二次フック部材は、基台部から対角に背部分結合の近傍に変位された二次フック部材の離間された対の一方であっても良い。
【０００９】
二次フック部材は、背部分から堅固に突出する背リブ部材を含んでいても良く、固定するための手段は、蓋部分の閉位置にてディスクの外周部の内方に且つディスクに近接して突出する背リブ部材を含み、フック部材を移動させるための手段は、蓋部分が開状態へ移動されるにつれてベース部分から離れる方向に移動するリブ部材を含む。背リブ部材は、蓋部分が閉位置に近接するときに、基台部に対して且つディスクの外周部の内部で、対角に変位された末端へ延びるようにしても良い。また、蓋部分は、ベース部分および背部分と一体的に形成されていても良い。
【００１０】
本発明の他の態様においては、保管ケースは、ボタン部分ハブ構造体を伴って前方に突出する基台部を有するベース部分と、蓋部分と、蝶番式に結合された背部分と、背部分の反対側で基台部分に対向する蓋部分に結合され、蓋部分の閉位置において、ハブ構造体からのディスクの取り外しを阻止するために、ディスクの外周部の内方に向かって突出する蓋タブ部材であって、該蓋タブ部材は、蓋部分が開状態に移動されるにつれてベース部分から離れる方向に移動する蓋タブ部材と、蓋部分と背部分の一方に背部分に近接して結合され、蓋部分の閉位置において、ハブ構造体からのディスクの取り外しをさらに阻止するために、ディスクの外周部の内方へ突出する背タブ部材であって、該背タブ部材は、蓋部分が開状態に移動されるにつれてベース部分から離れる方向に移動する背タブ部材とを含んでいる。背タブ部材は、背部分に堅固に結合されることができる。
【００１１】
またさらなる態様においては、保管ケースは、ベース部分と、蓋部分と、蝶番式に結合さた背部分と、背部分の反対側で基台部に概して対向するベース部分に移動可能に結合されて、ディスクの外周部の内方に突出する閉位置を有し、ハブ構造体からのディスクの係合および取り外しの間、ディスクの外周をあらわにするための開位置に付勢される一次フック部材と、蓋部分に結合された蓋ロック部材であって、該蓋ロック部材は、蓋部分の閉位置にて、ハブ構造体からのディスクの取り外しを阻止するために、閉位置へ一次ロック部材を移動させ、蓋部分が開状態へ移動されるにつれて、蓋ロック部材が離れる方向へ移動し、且つ一次フック部材が開位置に戻ることを可能にする蓋ロック部材と、背部分に概して近接してベース部分に移動可能に結合されて、ディスクの外周部の内方に突出する閉位置を有する二次フック部材であって、該二次フック部材は、ハブ構造体からのディスクの係合および取り外しの間、ディスクの外周をあらわにするための開位置に付勢される二次フック部材と、蓋部分と背部分の一方に結合されて、蓋部分の閉位置にてハブ構造体からのディスクの取り外しをさらに阻止するために、二次フック部材を閉位置に移動させ、蓋部分が開状態へ移動されるにつれて、離れる方向へ移動し、且つ二次フック部材が開位置に戻ることを可能にする背ロック部材とを含む。背ロック部材は、背部分に堅固に結合されていても良い。一次フック部材は、一次フック部材の離間された対の一方であっても良い。二次フック部材は、二次フック部材の離間された対の一方であっても良い。
【００１２】
本発明のこれらのそして他の特徴、態様、および利点は、以下の説明、添付された特許請求の範囲、および添付された図面を参照して、より良く理解されるであろう。
【発明を実施するための最良の形態】
【００１３】
本発明は、ＣＤおよびＤＶＤなどのディスクの保管および売買の間に、ディスク保管ケースからＣＤおよびＤＶＤのようなディスクの窃盗を防止するために特に効果的な、安全ディスク保管ケースを目的としている。上述において指摘された通り、万引き犯は、ディスクケース上包みの側面部分にスリットを作り、続いて、ケースの保持基台部からディスクを離脱させるような方法でケースを変形し、それからケースをスリットの部分で若干こじ開けることによって、実質的に閉じている間に、ディスクをケースから引き抜いてしまうことが知られている。図面の図１から図５を参照すると、本発明に従った安全保管ケース１０は、ベース部分１２と、蓋部分１４と、ベース部分１２と蓋部分１４との間に蝶番式で結合される背部分１６とを含んでいる。蓋部分１４は、図１および図４に示されるように、ベース部分を取り外し可能に係合する閉位置を有しており、図４に示されるように開位置に開放可能である。上包み１８は、普通、図３に示されるように、ディスクの保管および売買の間にディスク２０がその中に収納されて、閉位置にて蓋部分１４を固定するために使用され、その後、ジャケットは、典型的には取り外され且つ破棄され、それからケースは自由自在に開くことが可能となる。
【００１４】
典型的には、保管ケース１０は、直径１２０ｍｍの外周部２２、１５ｍｍの内径を有する中央開口２４、および１．２ｍｍから１．３ｍｍの厚みを有する従来のディスク用に構成されている。保管ケースは、また、ベース部分１２の背後パネル２７から前方に突出する基台部２６も含んでおり、基台部は、中央開口２４にてディスク２０を支持して係合するために基台軸２９上にハブ構造体２８を有している。典型的には、また、ディスクの外周部２２は、ベース部分１２の前方に突出するエッジ支持部分３０によって、支持されおよび／または安定化されている。ディスク２０の取り外しは、典型的に、蓋部分１４が図４に示されるように開位置において開状態にあり、または外周部２２およびハブ構造体２８への手動アクセスを提供する部分的な開位置を超えて開状態にあるときに、ディスクの外周部２２および／またはケースのハブ構造体２８を手動でアクセスすることによってなし遂げられる。
【００１５】
基台部２６のハブ構造体２８は、種々に構成され得るが、その例示的形態は、ディスク２０の中央開口２４に係合する複数の内方に向けて片持ちにされたボタンセグメント３２を含み、ボタンセグメントは、基台部２６の外側部分を形成するリング構造体３６に近接してディスクを取り外し可能に保持するための外方に突出する保持部分３４を有している。ボタンセグメントの片持ち支持体は、ディスク２０が保持部分とリング構造体との間に閉じ込められた、またはディスクがボタン部分３６上に配置された、図面に示される弛緩位置と、上述において引用された米国特許第６，２３７，７６３号に説明されているようにディスク２０の中央開口２４をあらわにするために、保持部分が軸方向後方に且つ径方向内方に変位された押下位置（図示せず）との間の移動のために、充分な可撓性がある。そのようなケースの内側に印刷物を保持するためのクリップ、背部分１６とベースおよび蓋部分１２および１４との間の一体の蝶番結合、および外部可視ラベルを保持するための透明ジャケットシートのような、保護ディスクケースの他の典型的な特徴は、記述されていないけれども想定されている。
【００１６】
上述されたように、急を要する問題は、上包みにスリットを施し、基台部からディスクを取り出すためにケースを変形し、かつスリットの領域でケースを若干こじ開けてスリットを通してディスクを滑り出させることによってなされる、ディスクの窃盗である。
【００１７】
本発明によれば、安全ケース１０には、ハブ構造体２８からのディスクの離脱を阻止するために、蓋部分１４の閉位置において外周部２２の両面に近接してディスク２０の前方に内方に突出するフック手段４０が設けられ、フック手段４０は、ケース１０が開状態にあるときに、ハブ構造体２８からのディスクの通常の係合および取り外しを可能にするために、ディスクの前方からフック手段４０が変位される。図４および図５に最もよく示されているように、図１から図５の例示的形態におけるフック手段４０は、背部分１６に対向する蓋部分１４の蓋側壁４４から内方へ突出する、側方に離間されたタブ４２の対として形成されている第１のフック手段４０Ａを含んでいる。分離されて離間されたタブ４２の使用は、タブ４２の厚みを画定すべく成型する間に、金型突き出しのその部分を通る蓋部分１４を通る開口のサイズを制限することによって、ケース１０の製造を容易にすると同時に、ディスク２０に対する荷重の集中を低減するという利点がある。
【００１８】
また、フック手段４０は、背部分１６の背リブ４６の形態で第２のフック手段４０Ｂを含んでおり、リブ４６は、外周部２２の前方に延びるのに充分に突出する。図５に破線によって示されるように、リブ４６は、好ましくは、ケース１０の変形の間に、ディスクの拡張された保持のために基台軸２９のまわりの含まれる角Ｂにおける、リブ先端４８（およびその間）として示された離間された位置の対において、その外周部２２に近接してディスク２０を覆うための輪郭を有し、そのような保持は図２に描かれている。同様に、第１のフック部材４０Ａのタブ４２は、図５に示されるように、含まれる角Ａにて、離間されたタブ先端５０において、ディスク２０を覆うための輪郭を有する。さらに、タブ４２の間の間隔は、やはり図５に示されるように、含まれる角Ｃを形成する。図１から図５の例示的形態において、角度Ａはほぼ３２度であり、角度Ｂはほぼ６４度であり、角度Ａと角度Ｂの平均はほぼ４８度である。また、角度Ｃはほぼ１０度であり、角度Ａと角度Ｃとの間の差は、ほぼ２２度である。角度ＡおよびＢの各々は、少なくともほぼ１０度であり、且つ角度Ａマイナス角度Ｃ（もしも存在すれば）も、少なくとも１０度であることが、ディスク２０に対する荷重の集中を制限するため、かつタブ４２と背リブ４６の構造的完全性のために、好ましい。また、ハブ構造体２８の領域におけるディスクの効果的な拘束のために、角度Ｃは、ほぼ３０度よりも大きくないことが好ましい。さらに、角度Ａおよび角度Ｂの平均が、少なくともほぼ２５度であることが好ましい。
【００１９】
図６から図８をさらに参照すれば、１０’で示される、安全ケースの代替的な構成は、ベース部分１２の背後パネル２７から前方に突出する複数のフック部材５２を有し、図７に示されるように、フック部材５２は、蓋部分１４が開状態にあるときに、そのフック先端５４がディスク２０の外周部２２の外方に変位される、それぞれの弛緩位置を有する。図８に示されるように、背部分１６に対向してベース部分１２のベース側壁５６に近接して配置された一対のフック部材５２は、ケース１０の第１のフック手段４０Ａの対応部を形成し、それらのフック先端５４は、第１のフック手段４０Ａのタブ先端５０の対応部を形成する。同様に、背部分１６に近接して配置されている他の一対のフック部材５２は、ケース１０の第２のフック手段４０Ｂの対応部を形成し、それらのフック先端５４は、第２のフック手段４０Ｂのタブ先端５０の対応部を形成している。一対のフックアクチュエータ５８は、蓋側壁４４に近接する蓋部分１４から突出し、フックアクチュエータ５８は、蓋部分１４が、図６に示されるように閉位置に移動されるにつれて、関連するフック部材５２を内方に変位させる。また、ベース部分１２のエッジ支持部分３０は、フック部材５２から径方向外方向きに離間されたそれぞれの支持領域６０で形成され、第１のフック手段４０Ａのフック部材５２の内方への変位の間に、フックアクチュエータ５８は、支持領域６０との支持的な接触によって強化される。エッジ支持部分３０は、第２のフック手段４０Ｂのフック部材５２に隣接して同様に形成される。しかしながら、それらのフック部材５２の内方への変位は、蓋部分１４を閉じる間に、背部分１６がベースパネル２７に垂直な位置であると仮定するので、背リブ４６との接触によってもたらされ、ケース１０’における背リブ４６は、図８に破線によって示されているように、第２のフック手段４０Ｂのフック部材５２を変位させるためのフックアクチュエータ５８に対応して形成される。図８にさらに示されるように、第１のフック手段４０Ａのフック部材５２は離間されており、第２のフック手段４０Ｂのフック部材５２は、ハブ構造体２８に対向し対応して離間されていて、それぞれ含まれる中心線角ＤおよびＥをなしている。図６から図８の例示的形態において、角度ＤおよびＥは、各々ほぼ４０度であり、フック部材５２は、基台軸２９についてのほぼ４度の角度Ｆに対するほぼ３ｍｍの有効周囲接触幅を有している。このように、図６から図８の例示的構成は、ほぼ４４度である角度ＡおよびＢに対応し、図１から図５の形態における角度Ｃは、ほぼ３６度であり、角度Ａと角度Ｃとの間の差は、８度である。角度Ａと角度Ｃとの間のこのより小さな差が、フック部材５２が、フックアクチュエータ５８によって内方に変位される位置において強化されるのに適切であることが理解されるであろう。
【００２０】
本発明にさらに従って、（図６から図８のケース１０’ばかりでなく）図１から図５の安全ケース１０の対向する端部には、ケースが部分的にこじ開けられたときに、ナイフの刃または他の許可されない道具の侵入に対する追加された保護を提供するばかりでなく、ねじりおよび屈曲に対してケースを強化するために、蓋部分１４の閉位置において重なり合う補強リブが設けられる。より詳細には、一対のベースリブ部材６２は、それぞれのベース端壁６４に近接して平行に離間されたベースパネル２７から前方に突出し、それぞれ対応する蓋端壁６８の内方にオフセットされたブレード部分６６は、蓋部分１４の閉位置においてベースパネル２７に近接して、ベースリブ部材６２とベース端壁６４との間に突出する。
【００２１】
本発明は、その特定の好ましいバージョンについてかなり詳細に説明されてきたが、他のバージョンも可能である。例えば、背リブ４６の対応部は、第２のフック手段４０Ｂ、または第２のフック手段４０Ｂのフック部材５２を作動させるためのいずれかとして機能すべく、蓋部分１４に形成されても良い。したがって、特許請求の範囲の精神および範囲は、本明細書に含まれる好ましいバージョンの説明に必ずしも限定されるべきではない。
【図面の簡単な説明】
【００２２】
【図１】データ格納ディスクを収容する容器である本発明に従った安全ディスクケースの側面断面図である。
【図２】ケースの支持構造からディスクを取り外すように設計された方法で変形されるケースを示す、図１と同様の断面図である。
【図３】図１のケースの端面断面図である。
【図４】開状態における図１のケースを示す、図３と同様の断面図である。
【図５】図４の開状態における図１のケースの平面図である。
【図６】図１のケースの代替的形態を示す、図３と同様の断面図である。
【図７】開状態における図６のケースを示す、図４と同様の断面図である。
【図８】図６のケースの、図５と同様の平面図である。
【図１】
2006513107.tif 000002
【図２】
2006513107.tif 000003
【図３】
2006513107.tif 000004
【図４】
2006513107.tif 000005
【図５】
2006513107.tif 000006
【図６】
2006513107.tif 000007
【図７】
2006513107.tif 000008
【図８】
2006513107.tif 000009
【国際調査報告】
2006513107.tif 000010
2006513107.tif 000011